(57)【要約】      （修正有）【課題】水と身体が接触し、五感が刺激される水準の高いレジャー体験を楽しむことができる水中観光及び体験用の有人潜水艇を提供する。【解決手段】透視窓１０と、透視窓固定手段と、推進システムと、昇・下降システムと、コントロールボックス５０とを備え、人が搭乗可能な乗務員室２の上部に外部から透視可能な透視窓を設け、全ての周辺状況を効果的に観光可能に誘導するだけでなく、呼吸のために人の上体が位置される透視窓の内部空間を除いた乗務員室には、水中の水が浸透される構造であって、水と身体が接触し五感が刺激される水準の高いレジャー体験を楽しむことができる。また、本体１と透視窓が互いに離隔し、本体と透視窓との間に人が容易に出入することができる構造であり、水中観光する過程において、搭乗者は、スキューバ装備を着用し、簡便にスキューバダイビングを体験することができる。【選択図】図２
2015137058.tif 000002
【特許請求の範囲】
【請求項１】
船首と船尾が形成される本体１と、前記本体１の上部に設けられ、人が搭乗可能な乗務員室２とが設けられる有人潜水艇において、
外部から透視可能に透明に形成され、前記本体１の上部に離隔して位置され、内部に空間を有し、下部は開放して形成される透視窓１０と、
前記透視窓１０の位置を堅固に固定する固定手段２０と、
前記本体１に推進力を与える推進システム３０と、
前記本体１の水面に乗降させ、または水中に下降させるようにする昇・下降システム４０と、
前記本体１の船首に設けられ、前記推進システム３０及び昇・下降システム４０の作動を制御するコントロールボックス５０と、を備え、
前記固定手段２０は、
前記透視窓１０の内側を経由し、一端は前記本体１の一側に結合固定され、他側は前記本体１の他側に結合固定され、外側には前記透視窓１０の下部を接触支持する支持突起２１ａが突設される内側フレーム２１と、
前記透視窓１０の外側を経由し、一端は前記本体１の一側に結合固定され、他側は前記本体１の他側に結合固定され、前記内側フレーム２１に積層され、前記内側フレーム２１に支持される前記透視窓１０の離脱を防止する外側フレーム２２とを有することを特徴とする水中観光及び体験用の有人潜水艇。
【請求項２】
前記推進システム３０が、
回転力を与える駆動モータ３１と、
前記駆動モータ３１の回転力を与えられて回転されるプロペラ３２と、
前記駆動モータ３１とプロペラ３２が内蔵されるケース３３と、
一端は前記ケース３３と連結され、他端は前記本体１と連結される回転軸３４と、
前記回転軸３４の一端上に位置され、前記回転軸３４と一緒に回転するピニアンギア３５と、
前記ピニアンギア３５と噛み合わされ、前記ピニアンギア３５を回転させるラックギア３６と、
ロッド３７ａが前記ラックギア３６の一端と結合され、前記ラックギア３６を前・後方に移送させる回転シリンダ３７と、を備え、
前記推進システム３０が、前記本体１の両側にそれぞれ少なくとも一つ以上設置され、前記推進システム３０の駆動モータ３１と回転シリンダ３７は、前記コントロールボックス５０の制御を通じて作動することを特徴とする請求項１に記載の水中観光及び体験用の有人潜水艇。
【請求項３】
前記本体１上部の乗務員室２に搭乗する人が、安定的に呼吸可能に、前記透視窓１０の内部の酸素濃度を測定し、適正の酸素濃度が維持されるように酸素を供給する酸素供給システム７０をさらに備え、
前記酸素供給システム７０が、
前記透視窓１０の内部に設置され、前記透視窓１０の内部の酸素濃度を測定し、その測定情報を前記コントロールボックス５０に伝送する酸素濃度測定センサ７１と、
前記透視窓１０の内部に酸素を供給する第２の酸素タンク７２と、
前記第２の酸素タンク７２に連通して連結され、前記第２の酸素タンク７２から供給される酸素を、前記透視窓１０の内部に排出する酸素排出管７３と、
前記酸素排出管７３の上に形成され、前記酸素排出管７３の内部の開閉を決定する開閉弁７４と、を有し、
前記開閉弁７４が、前記コントロールボックス５０の制御を通じて作動することを特徴とする請求項１に記載の水中観光及び体験用の有人潜水艇。
【発明の詳細な説明】
【技術分野】
【０００１】
本発明は、水中観光及び体験用の有人潜水艇に関し、より詳しくは、人が搭乗可能な乗務員室の上部に外部から透視可能な透視窓を設け、全ての周辺状況を効果的に観光可能に誘導するだけでなく、呼吸のために人の上体が位置される透視窓の内部空間を除いた乗務員室には、水中の水が浸透される構造であって、単純な視覚的な観光ではなく、実質的に水と身体が接触し、五感が刺激される水準の高いレジャー体験を楽しむことができる水中観光及び体験用の有人潜水艇に関する。
【背景技術】
【０００２】
一般に、潜水艇は、船首と船尾が形成され、内部には人が搭乗する乗務員室が設けられ、上部には人が乗務員室に搭乗可能なハッチが設けられる構造であり、通常、水中浸透や偵察の用途として用いられてきた。
【０００３】
最近、レジャー文化が発達するにつれて、水中を観光する用途として潜水艦が用いられている実情であるが、人が搭乗可能な乗務員室が外部から閉鎖される構造のため、潜水艇が観光用として用いられる場合は、単に視覚的な観光のみが可能であり、レジャーの体験効率が実質的に低いという短所があった。
【０００４】
しかも、上部にハッチが設けられ、そのハッチを固定する潜水艇の構造物により、潜水艇を搭乗した状態での視覚的観光が可能な空間が制限的であり、さらにレジャー効率が低くなるという短所があった。
【０００５】
したがって、水中観光のみならず、さらに実質的な海底レジャー体験を楽しむことができる水中観光用潜水艇の開発が望まれる実情にある。
【発明の概要】
【発明が解決しようとする課題】
【０００６】
本発明は、上記問題点に鑑みなされたものであり、その目的は、人が搭乗可能な乗務員室の上部に外部から透視可能な透視窓を設け、全ての周辺状況を効果的に観光可能に誘導するだけでなく、呼吸のために人の上体が位置される透視窓の内部空間を除いた乗務員室には、水中の水が浸透される構造であって、単純な視覚的な観光ではなく、実質的に水と身体が接触し、五感が刺激される水準の高いレジャー体験を楽しむことができる水中観光及び体験用の有人潜水艇を提供することにある。
【０００７】
また、本体と透視窓が互いに離隔し、本体と透視窓との間に人が容易に出入することができる構造であり、水中観光する過程において、搭乗者は、スキューバ装備を着用し、簡便にスキューバタイピングを体験することができ、水準の高いレジャー体験を楽しむようにする水中観光及び体験用の有人潜水艇を提供することにある。
【課題を解決するための手段】
【０００８】
上述した目的を達成するために、本発明による水中観光及び体験用の有人潜水艇は、船首と船尾が形成される本体と、前記本体の上部に設けられ、人が搭乗可能な乗務員室とが設けられる有人潜水艇において、外部から透視可能に透明に形成され、前記本体の上部に離隔して位置され、内部に空間を有し、下部は開放して形成される透視窓と、前記透視窓の位置を堅固に固定する固定手段と、前記本体に推進力を与える推進システムと、前記本体の水面に乗降させ、または水中に下降させるようにする昇・下降システムと、前記本体の船首に設けられ、前記推進システム及び昇・下降システムの作動を制御するコントロールボックスと、を備え、前記固定手段は、前記透視窓の内側を経由し、一端は前記本体の一側に結合固定され、他側は前記本体の他側に結合固定され、外側には前記透視窓の下部を接触支持する支持突起が突設される内側フレームと、前記透視窓の外側を経由し、一端は前記本体の一側に結合固定され、他側は前記本体の他側に結合固定され、前記内側フレームに積層され、前記内側フレームに支持される前記透視窓の離脱を防止する外側フレームとを有することを特徴とする。
【０００９】
また、前記推進システムは、回転力を与える駆動モータと、前記駆動モータの回転力を与えられて回転されるプロペラと、前記駆動モータとプロペラが内蔵されるケースと、一端は前記ケースと連結され、他端は前記本体と連結される回転軸と、前記回転軸の一端上に位置され、前記回転軸と一緒に回転するピニアンギアと、前記ピニアンギアと噛み合わされ、前記ピニアンギアを回転させるラックギアと、ロッドが前記ラックギアの一端と結合され、前記ラックギアを前・後方に移送させる回転シリンダと、を備え、前記推進システムは、前記本体の両側にそれぞれ少なくとも一つ以上設置され、前記推進システムの駆動モータと回転シリンダは、前記コントロールボックスの制御を通じて作動することを特徴とする。
【００１０】
また、前記本体上部の乗務員室に搭乗する人が、安定的に呼吸可能に、前記透視窓の内部の酸素濃度を測定し、適正の酸素濃度が維持されるように酸素を供給する酸素供給システムをさらに備え、前記酸素供給システムは、前記透視窓の内部に設置され、前記透視窓の内部の酸素濃度を測定し、その測定情報を前記コントロールボックスに伝送する酸素濃度測定センサと、前記透視窓の内部に酸素を供給する第２の酸素タンクと、前記第２の酸素タンクに連通して連結され、前記第２の酸素タンクから供給される酸素を、前記透視窓の内部に排出する酸素排出管と、前記酸素排出管の上に形成され、前記酸素排出管の内部の開閉を決定する開閉弁と、を有し、前記開閉弁は、前記コントロールボックスの制御を通じて作動することを特徴とする。
【発明の効果】
【００１１】
本発明によると、人が搭乗可能な乗務員室の上部に外部から透視可能な透視窓を設け、全ての周辺状況を効果的に観光可能に誘導するだけでなく、呼吸のために人の上体が位置される透視窓の内部空間を除いた乗務員室には、水中の水が浸透される構造であって、単純な視覚的な観光ではなく、実質的に水と身体が接触し、五感が刺激される水準の高いレジャー体験を楽しむことができる。
【００１２】
また、本体と透視窓が互いに離隔し、本体と透視窓との間に人が容易に出入することができる構造であり、水中観光する過程において、搭乗者は、スキューバ装備を着用し、簡便にスキューバタイピングを体験することができ、水準の高いレジャー体験を楽しむようにすることができる。
【図面の簡単な説明】
【００１３】
【図１】本発明の実施例による水中観光及び体験用の有人潜水艇を示す概念図である。
【図２】図１に示した水中観光及び体験用の有人潜水艇の斜視図である。
【図３】図１に示した水中観光及び体験用の有人潜水艇の分離斜視図である。
【図４】図１に示した水中観光及び体験用の有人潜水艇の縦断面図である。
【図５】図１に示した水中観光及び体験用の有人潜水艇の推進システムの使用状態図である。
【図６】図１に示した水中観光及び体験用の有人潜水艇の使用状態図である。
【発明を実施するための形態】
【００１４】
以下、添付した図面に基づき、本発明の好適な実施例による水中観光及び体験用の有人潜水艇について詳述する。
【００１５】
図１乃至図６は、本発明の実施例による水中観光及び体験用の有人潜水艇を示すものであって、図１は、本発明の実施例による水中観光及び体験用の有人潜水艇を示す概念図であり、図２は、図１に示した水中観光及び体験用の有人潜水艇の斜視図であり、図３は、図１に示した水中観光及び体験用の有人潜水艇の分離斜視図であり、図４は、図１に示した水中観光及び体験用の有人潜水艇の縦断面図であり、図５は、図１に示した水中観光及び体験用の有人潜水艇の推進システムの使用状態図であり、図６は、図１に示した水中観光及び体験用の有人潜水艇の使用状態図である。
【００１６】
図示のように、本発明の実施例による水中観光及び体験用の有人潜水艇１００は、船首と船尾が形成される本体１と、前記本体１の上部には、人が搭乗可能な乗務員室２とが設けられる有人潜水艇において、透視窓１０と、固定手段２０と、推進システム３０と、昇・下降システム４０と、コントロールボックス５０とをさらに備えている。
【００１７】
図２乃至図４に示すように、前記透視窓１０は、外部から透視可能に透明に形成され、前記本体１の上部に離隔して位置するものであり、内部に空間を有し、下部は開放して形成される。
【００１８】
すなわち、前記透視窓１０が内部に空間を有し、下部のみ開放される形状を有することにより、潜水時、水の浸入が防止され、前記透視窓１０の内部空間に位置する見物客が水中で安定的な呼吸を維持することはもとより、図６ｃに示すように、前記透視窓１０は、透明な材質から形成され、前記乗務員室２に搭乗する見物客は、前記透視窓１０を透視し、水中の周辺環境を円滑に観光することができる。
【００１９】
ここで、図６ｃに示すように、前記透視窓１０と本体１との間が離隔して形成される空間に自然に水中の水が浸透されるので、乗務員室２に搭乗した見物客は、単純な視覚的な観光ではなく、実質的に水と身体が接触され、五感が刺激される水準の高いレジャー体験を楽しむことができる。
【００２０】
さらに、図６ｇに示すように、前記透視窓１０と本体１との間が離隔して形成される空間には、人が容易に出入することができるので、水中を観光する過程において、見物客は、スキューバ装備を着用し、簡便にスキューバタイピングを体験することができ、さらに水準の高いレジャー体験を楽しむように誘導する効果がある。
【００２１】
一方、水中に長時間滞留するためには、前記本体１の上部の乗務員室２に搭乗する見物客が安定的に呼吸を維持可能に、前記透視窓１０の内部の酸素濃度を測定し、適正の酸素濃度が維持されるように、酸素を供給する酸素供給システム７０を備えることが好ましく、このような前記酸素供給システム７０は、図１乃至図４に示すように、前記透視窓１０の内部に設けられ、前記透視窓１０の内部の酸素濃度を測定し、その測定情報を後述する前記コントロールボックス５０に伝送する酸素濃度測定センサ７１と、前記透視窓１０の内部に酸素を供給する第２の酸素タンク７２と、前記第２の酸素タンク７２に連通して連結され、前記第２の酸素タンク７２から供給される酸素を、前記透視窓１０の内部に排出する酸素排出管７３と、前記酸素排出管７３の上に形成され、前記酸素排出管７３の内部の開閉を決定する開閉弁７４と、を備えて構成される。
【００２２】
すなわち、図６ｆに示すように、前記コントロールボックス５０では、前記酸素濃度測定センサ７１で測定された測定情報に基づき、前記透視窓１０の内部空間において人が容易に呼吸可能な酸素の適正濃度（約２０．５〜２３％）が維持されるように、前記開閉弁７４を連続して開閉し、前記第２の酸素タンク７２の酸素を前記透視窓１０の内部に適宜流入させ、前記透視窓１０の内部空間が適正の酸素濃度に維持されるようにする。
【００２３】
図２乃至図４に示すように、前記固定手段２０は、前記透視窓１０の位置を堅固に固定するものであり、前記透視窓１０の内側を経由し、一端は前記本体１の一側に結合固定され、他側は前記本体１の他側に結合固定され、外側には前記透視窓１０の下部を接触支持する支持突起２１ａが突設される内側フレーム２１と、前記透視窓１０の外側を経由し、一端は前記本体１の一側に結合固定され、他側は前記本体１の他側に結合固定され、前記内側フレーム２１に積層され、前記内側フレーム２１に支持される前記透視窓１０の離脱を防止する外側フレーム２２と、により具体化されるが、これに限定されて用いられるものではない。
【００２４】
ここで、前記内側及び外側フレーム２１、２２は、前記本体１にボルト結合３によって、堅固に固定させることが好ましいが、このような結合方法に限定されるものではない。
【００２５】
図１乃至図５に示すように、前記推進システム３０は、前記本体１に推進力を与えるものであり、回転力を与える駆動モータ３１と、前記駆動モータ３１の回転力を与えられて回転されるプロペラ３２と、前記駆動モータ３１とプロペラ３２が内蔵されるケース３３と、一端は前記ケース３３と連結され、他端は前記本体１と連結される回転軸３４と、前記回転軸３４の一端上に位置され、前記回転軸３４と一緒に回転するピニアンギア３５と、前記ピニアンギア３５と噛み合わされ、前記ピニアンギア３５を回転させるラックギア３６と、ロッド３７ａが前記ラックギア３６の一端と結合され、前記ラックギア３６を前・後方に移動させる回転シリンダ３７と、を備え、前記推進システム３０は、前記本体１の両側にそれぞれ少なくとも一つ以上設けられるようにする。
【００２６】
すなわち、図６ｃに示すように、前記コントロールボックス５０の制御を通じた前記駆動モータ３１及び回転シリンダ３７の作動により、多様な方向への推進力が得られ、本発明の水中観光及び体験用の有人潜水艇１００は、容易に移送、方向転換及び停止が行われ得る。
【００２７】
本発明の実施例による水中観光及び体験用の有人潜水艇１００は、両側にそれぞれ二つの推進システム３０が設けられ、潜水艇の精密な移送、方向転換、及び停止が行われるようにしているが、これに限定されて用いられるものではない。
【００２８】
図１と図３と図４に示すように、前記昇・下降システム４０は、前記本体１の水面に乗降させ、または水中に下降させるものであり、前記本体１の内部に内蔵され、前記本体１に浮力を与え、収縮及び膨張が容易な浮力袋４１と、前記浮力袋４１に連通して連結され、前記浮力袋４１の内部に酸素を供給する第１の酸素タンク４２と、前記第１の酸素タンク４２に形成され、前記第１の酸素タンク４２から前記浮力袋４１に供給される酸素の流通有無を決定する供給弁４３と、前記浮力袋４１に形成され、前記浮力袋４１の内部に供給された酸素の排出有無を決定する排出弁４４と、を備えて構成される。
【００２９】
すなわち、図６ｂに示すように、本発明の水中観光及び体験用の有人潜水艇１００が下降するためには、前記排出弁４４を開放し、前記浮力袋４１の内部に充填された酸素を外部に排出し、前記浮力袋４１の浮力を節減させることにより、本発明の水中観光及び体験用の有人潜水艇１００が自重で自然に下降するように誘導し、図６ｈに示すように、本発明の水中観光及び体験用の有人潜水艇１００が乗降するためには、前記供給弁４３を開放し、前記第１の酸素タンク４２に貯蔵された酸素を、前記浮力袋４１に充填させ、前記浮力袋４１の浮力を増加させることにより、本発明の水中観光及び体験用の有人潜水艇１００が増減された浮力によって自然に乗降するように誘導する。
【００３０】
この際、前記供給及び排出弁４３、４４の作動は、前記コントロールボックス５０の制御を通じて行われる。
【００３１】
ここで、本発明の水中観光及び体験用の有人潜水艇１００が水中において運行する過程で、いずれか一側に傾いた場合、このような傾きを感知して補償し、前記本体１の水平が維持されるように制御する水平維持システム６０をさらに備え、装置の安全性を確保することが好ましく、このような水平維持システム６０は、図１と図３と図４に示すように、前記排出弁４４が形成された前記浮力袋４１を、前記本体１の両側にそれぞれ少なくとも一つ以上有し、前記浮力袋４１に酸素を供給する前記第１の酸素タンク４２は、少なくとも一つ以上有し、前記第１の酸素タンク４２から前記浮力袋４１に酸素の供給を決定する前記供給弁４３は、前記浮力袋４１の個数に応じてそれぞれ形成され、それぞれの前記浮力袋４１に個別に酸素が供給されるように構成され、前記本体１または透視窓１０に設けられ、前記本体１が傾いたことを感知し、その感知情報を前記コントロールボックス５０に伝送する傾き感知センサ６１を設置することにより具体化され得る。
【００３２】
すなわち、前記傾き感知センサ６１の感知情報に基づき、運行中の本発明の水中観光及び体験用の有人潜水艇１００の傾きが、前記コントロールボックス５０において感知されると、図６ｃに示すように、前記コントロールボックス５０では、傾いた側に位置した前記浮力袋４１に酸素が供給されるように、前記供給弁４３を開放し、前記浮力袋４１の浮力を増加させ、本発明の水中観光及び体験用の有人潜水艇１００の傾きを適宜補償して安定的に水平が維持されるようにする。
【００３３】
図１乃至図４に示すように、前記コントロールボックス５０は、前記本体１の船首に設けられ、前記推進システム３０、昇・下降システム４０、水平維持システム６０、及び酸素供給システム７０の作動を制御する。
【００３４】
また、図１乃至図４に示すように、前記本体１の一側または多様な側面の周辺状況を撮影し、その撮影情報を保存し、安全事故が発生した場合、容易に事故の原因を把握可能にするものとして、前記本体１の側面に設けられ、前記本体１の周辺状況を撮影する少なくとも一つ以上の撮影カメラ８１と、前記撮影カメラ８１と電気的に連結され、前記撮影カメラ８１で撮影される撮影情報を保持する保存メモリ８２とで構成される撮影システム８０を備えることが好ましい。
【００３５】
本発明の実施例による水中観光及び体験用の有人潜水艇１００の撮影カメラ８１は、前記本体の前方に一つ内蔵されているが、このような個数に限定されて用いられるものではない。
【００３６】
ここで、前記撮影システム８０の撮影カメラ８１で撮影される映像情報を外部から実時間で受信して監視する実時間監視システム９０をさらに備え、前記実時間監視システム９０は、図１と図４に示すように、前記撮影カメラ８１で撮影される映像情報を受信され、外部に送信する無線送信部９１と、前記無線送信部９１から送信する映像情報を受信され、映像に出力して提供する映像モニタ９２と、を有する。
【００３７】
したがって、図６ｄに示すように、外部に設置される前記映像モニタ９２を通じて、水中に潜水して運行される本発明の水中観光及び体験用の有人潜水艇１００の安定的な運行を管理監視することができ、見物客の安全をさらに強化して保障することができる。
【００３８】
また、図１乃至図３に示すように、前記コントロールボックス５０に設置され、ＧＰＳ衛星から信号を受信し、潜水艇の現在位置を感知可能なＧＰＳ受信部１１０をさらに備えることにより、本発明の水中観光及び体験用の有人潜水艇１００の運転者が現位置を認知しながら運行し、また安全が充分に保障される場所に安全に潜水艇を運行するように誘導し、見物客の安全を容易に確保させることが好ましい。
【００３９】
また、図２と図３に示すように、潜水艇の現位置を外部から容易に職別可能にするものとして、水面に浮遊して、人目で容易に職別可能な浮標１２１と、前記浮標１２１と前記本体１または固定手段２０とを相互連結し、潜水艇と一緒に前記浮標１２１を移動させるロープ１２２とで構成される職別手段１２０をさらに備え、外部から本発明の水中観光及び体験用の有人潜水艇１００が運行している現位置を実時間で確保するようにし、安全事故に対して迅速に対処可能に誘導し、見物客の安全性を容易に確保することがよい。
【００４０】
また、図１乃至図３に示すように、前記本体１の側面には、少なくとも一つ以上の照明灯１３０を内蔵することにより、本発明の水中観光及び体験用の有人潜水艇１００が、運行時、周辺を容易に職別するように誘導し、運行過程で、障害物との衝突を未然に予防するようにする。
【００４１】
ここで、前記照明灯１３０は、前記コントロールボックス５０の制御により作動するものである。
【００４２】
上述した構成要素からなる本発明の水中観光及び体験用の有人潜水艇１００は、人が搭乗可能な乗務員室２の上部に、外部から透視可能な前記透視窓１０を設け、全ての周辺状況を効果的に観光するように誘導するだけでなく、呼吸のために人の上体が位置する前記透視窓１０の内部空間を除いた乗務員室２には、水中の水が浸透される構造であって、単純な視覚的な観光ではなく、実質的に水と身体が接触して五感が刺激される水準の高いレジャー体験を楽しむことができる効果がある。
【００４３】
さらに、前記本体１と透視窓１０が互いに離隔し、前記本体１と透視窓１０との間に人が容易に出入可能な構造であり、水中観光する過程で、搭乗者は、スキューバ装備を着用し、簡便にスキューバダイビングを体験することができ、水準の高いレジャー体験を楽しむようにする効果がある。
【００４４】
また、前記水平維持システム６０、酸素供給システム７０、実時間監視システム９０、ＧＰＳ受信部１１０、職別手段１２０等を通じて、安全事故を未然に予防するだけでなく、安全事故の発生時、迅速に対処することができ、見物客の安全を効果的に確保することができる効果がある。
【００４５】
このような構成を有する本発明の実施例による水中観光及び体験用の有人潜水艇１００は、以下のように用いられて搭乗客に水中観光及び体験を提供する。
【００４６】
先ず、図６ａに示すように、本発明の水中観光及び体験用の有人潜水艇１００の乗務員室に人が容易に搭乗するように、昇・下降システム４０を通じて浮力袋４１の浮力を増減させ、潜水艇を水面に位置させるが、潜水艇を完全に外部に露出させた状態で、再度潜水すると、多くの動力が浪費されるため、透視窓１０の約２/３を上部に露出させた状態で、前記透視窓１０と本体１との間に人が搭乗するように誘導する。
【００４７】
その後、図６ｂに示すように、搭乗が完了すると、前記昇・下降システム４０を通じて前記浮力袋４１の浮力を低減させ、本発明の水中観光及び体験用の有人潜水艇１００の自重により、自然に下降するように誘導する。
【００４８】
この際、照明灯１３０を点灯し、水中の周辺環境が容易に職別されるようにする。
【００４９】
その後、潜水艇の下降が完了すると、図６ｃに示すように、前記推進システム３０を作動させ、水中運行を開始し、搭乗客は、前記透視窓１０から潜水艇の周辺を容易に観光することができる。
【００５０】
この際、前記本体１と透視窓１０との間の空間には、水が浸透された状態であるので、搭乗客は、単純な視覚的な観光だけでなく、実質的に水と身体が接触され五感が刺激される水準の高いレジャー体験を楽しむようになる。
【００５１】
ここで、図６ｃに示すように、潜水艇の運行により、職別手段１２０の浮標１２１が水面において一緒に移送されるので、外部から潜水艇の現位置を容易に認知することができる。
【００５２】
また、図６ｄに示すように、潜水艇の運行過程において、撮影システム８０を通じて、潜水艇が運行される周辺が撮影されて保存されることはもとより、前記撮影システム８０で撮影される映像情報は、実時間監視システム９０の映像モニタ９２から外部で確認し監視することができる。
【００５３】
一方、潜水艇の運行過程で、いずれか一側に傾くと、図６ｅに示すように、水平維持システム６０でこれを感知し、その感知情報を受信するコントロールボックス５０において、傾いた側に位置した前記浮力袋４１に酸素を供給して浮力を増加させ、潜水艇の傾きを適宜補償し、安定的に水平が維持されて運行されるようにする。
【００５４】
一方、図６ｆに示すように、潜水艇が長時間運行されると、前記透視窓１０の内部空間の酸素濃度が低くなるが、このとき、酸素供給システム７０を通じて、前記透視窓１０の内部空間に直接酸素濃度が維持されるように、前記透視窓１０の内部に連続的に酸素を供給し、搭乗客の呼吸が安定的に維持されるようにする。
【００５５】
一方、水中を観光する過程において、搭乗客からスキューバダイビングの体験が要求されると、図６ｇに示すように、潜水艇の運行を止め、スキューバ装備を着用し、簡便にスキューバダイビング体験を楽しむことができる。
【００５６】
上記のように、水中観光及びスキューバダイビング等の体験が完了すると、図６ｈに示すように、前記昇・下降システム４０を通じて浮力袋４１の浮力を増減させ、潜水艇を水面に位置させた後、搭乗客を下車させ、水中観光体験を完了する。
【００５７】
本発明は、添付した図面に示された実施例を参考として説明されているが、これは、例示的なものであり、上述した実施例に限定されず、当該分野における通常の知識を有する者であれば、これに基づいて様々な変形及び均等な実施例が可能であることを理解すべきである。また、本発明の思想を損なわない範囲内で、当業者による変形が可能であることは勿論である。したがって、本発明における権利請求範囲は、詳細な説明の範囲内で定められず、後述する請求の範囲と、その技術的思想により限定されるものである。
【符号の説明】
【００５８】
１      本体
２      乗務員室
３      ボルト結合
１０    透視窓
２０    固定手段
２１    内側フレーム
２１ａ  支持突起
２２    外側フレーム
３０    推進システム
３１    駆動モータ
３２    プロペラ
３３    ケース
３４    回転軸
３５    ピニアンギア
３６    ラックギア
３７    回転シリンダ
４０    昇・下降システム
４１    浮力袋
４２    第１の酸素タンク
４３    供給弁
４４    排出弁
５０    コントロールボックス
６０    水平維持システム
６１    傾き感知センサ
７０    酸素供給システム
７１    酸素濃度測定センサ
７２    第２の酸素タンク
７３    酸素排出管
７４    開閉弁
８０    撮影システム
８１    撮影カメラ
８２    保存メモリ
９０    実時間監視システム
９１    無線送信部
９２    映像モニタ
１００    水中観光及び体験用の有人潜水艇
１１０    ＧＰＳ受信部
１２０    職別手段
１２１    浮標
１２２    ロープ
１３０    照明灯
【図１】
2015137058.tif 000003
【図２】
2015137058.tif 000004
【図３】
2015137058.tif 000005
【図４】
2015137058.tif 000006
【図５】
2015137058.tif 000007
【図６ａ】
2015137058.tif 000008
【図６ｂ】
2015137058.tif 000009
【図６ｃ】
2015137058.tif 000010
【図６ｄ】
2015137058.tif 000011
【図６ｅ】
2015137058.tif 000012
【図６ｆ】
2015137058.tif 000013
【図６ｇ】
2015137058.tif 000014
【図６ｈ】
2015137058.tif 000015
【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
船首と船尾が形成される本体１と、前記本体１の上部に設けられ、人が搭乗可能な乗務員室２とが設けられる有人潜水艇において、
外部から透視可能に透明に形成され、前記本体１の上部に離隔して位置され、内部に空間を有し、下部は開放して形成される透視窓１０と、
前記透視窓１０の位置を堅固に固定する固定手段２０と、
前記本体１に推進力を与える推進システム３０と、
前記本体１の水面に上昇させ、または水中に下降させるようにする昇・下降システム４０と、
前記本体１の船首に設けられ、前記推進システム３０及び昇・下降システム４０の作動を制御するコントロールボックス５０と、を備え、
前記固定手段２０は、
前記透視窓１０の内側を経由し、一端は前記本体１の一側に結合固定され、他側は前記本体１の他側に結合固定され、外側には前記透視窓１０の下部を接触支持する支持突起２１ａが突設される内側フレーム２１と、
前記透視窓１０の外側を経由し、一端は前記本体１の一側に結合固定され、他側は前記本体１の他側に結合固定され、前記内側フレーム２１に積層され、前記内側フレーム２１に支持される前記透視窓１０の離脱を防止する外側フレーム２２とを有することを特徴とする水中観光及び体験用の有人潜水艇。
【請求項２】
前記推進システム３０が、
回転力を与える駆動モータ３１と、
前記駆動モータ３１の回転力を与えられて回転されるプロペラ３２と、
前記駆動モータ３１とプロペラ３２が内蔵されるケース３３と、
一端は前記ケース３３と連結され、他端は前記本体１と連結される回転軸３４と、
前記回転軸３４の一端上に位置され、前記回転軸３４と一緒に回転するピニオンギア３５と、
前記ピニオンギア３５と噛み合わされ、前記ピニオンギア３５を回転させるラックギア３６と、
ロッド３７ａが前記ラックギア３６の一端と結合され、前記ラックギア３６を前・後方に移送させる回転シリンダ３７と、を備え、
前記推進システム３０が、前記本体１の両側にそれぞれ少なくとも一つ以上設置され、前記推進システム３０の駆動モータ３１と回転シリンダ３７は、前記コントロールボックス５０の制御を通じて作動することを特徴とする請求項１に記載の水中観光及び体験用の有人潜水艇。
【請求項３】
前記本体１上部の乗務員室２に搭乗する人が、安定的に呼吸可能に、前記透視窓１０の内部の酸素濃度を測定し、適正の酸素濃度が維持されるように酸素を供給する酸素供給システム７０をさらに備え、
前記酸素供給システム７０が、
前記透視窓１０の内部に設置され、前記透視窓１０の内部の酸素濃度を測定し、その測定情報を前記コントロールボックス５０に伝送する酸素濃度測定センサ７１と、
前記透視窓１０の内部に酸素を供給する第２の酸素タンク７２と、
前記第２の酸素タンク７２に連通して連結され、前記第２の酸素タンク７２から供給される酸素を、前記透視窓１０の内部に排出する酸素排出管７３と、
前記酸素排出管７３の上に形成され、前記酸素排出管７３の内部の開閉を決定する開閉弁７４と、を有し、
前記開閉弁７４が、前記コントロールボックス５０の制御を通じて作動することを特徴とする請求項１に記載の水中観光及び体験用の有人潜水艇。
【手続補正２】
【補正対象書類名】明細書
【補正対象項目名】０００８
【補正方法】変更
【補正の内容】
【０００８】
上述した目的を達成するために、本発明による水中観光及び体験用の有人潜水艇は、船首と船尾が形成される本体と、前記本体の上部に設けられ、人が搭乗可能な乗務員室とが設けられる有人潜水艇において、外部から透視可能に透明に形成され、前記本体の上部に離隔して位置され、内部に空間を有し、下部は開放して形成される透視窓と、前記透視窓の位置を堅固に固定する固定手段と、前記本体に推進力を与える推進システムと、前記本体の水面に上昇させ、または水中に下降させるようにする昇・下降システムと、前記本体の船首に設けられ、前記推進システム及び昇・下降システムの作動を制御するコントロールボックスと、を備え、前記固定手段は、前記透視窓の内側を経由し、一端は前記本体の一側に結合固定され、他側は前記本体の他側に結合固定され、外側には前記透視窓の下部を接触支持する支持突起が突設される内側フレームと、前記透視窓の外側を経由し、一端は前記本体の一側に結合固定され、他側は前記本体の他側に結合固定され、前記内側フレームに積層され、前記内側フレームに支持される前記透視窓の離脱を防止する外側フレームとを有することを特徴とする。
【手続補正３】
【補正対象書類名】明細書
【補正対象項目名】０００９
【補正方法】変更
【補正の内容】
【０００９】
また、前記推進システムは、回転力を与える駆動モータと、前記駆動モータの回転力を与えられて回転されるプロペラと、前記駆動モータとプロペラが内蔵されるケースと、一端は前記ケースと連結され、他端は前記本体と連結される回転軸と、前記回転軸の一端上に位置され、前記回転軸と一緒に回転するピニオンギアと、前記ピニオンギアと噛み合わされ、前記ピニオンギアを回転させるラックギアと、ロッドが前記ラックギアの一端と結合され、前記ラックギアを前・後方に移送させる回転シリンダと、を備え、前記推進システムは、前記本体の両側にそれぞれ少なくとも一つ以上設置され、前記推進システムの駆動モータと回転シリンダは、前記コントロールボックスの制御を通じて作動することを特徴とする。
【手続補正４】
【補正対象書類名】明細書
【補正対象項目名】００２５
【補正方法】変更
【補正の内容】
【００２５】
図１乃至図５に示すように、前記推進システム３０は、前記本体１に推進力を与えるものであり、回転力を与える駆動モータ３１と、前記駆動モータ３１の回転力を与えられて回転されるプロペラ３２と、前記駆動モータ３１とプロペラ３２が内蔵されるケース３３と、一端は前記ケース３３と連結され、他端は前記本体１と連結される回転軸３４と、前記回転軸３４の一端上に位置され、前記回転軸３４と一緒に回転するピニオンギア３５と、前記ピニオンギア３５と噛み合わされ、前記ピニオンギア３５を回転させるラックギア３６と、ロッド３７ａが前記ラックギア３６の一端と結合され、前記ラックギア３６を前・後方に移動させる回転シリンダ３７と、を備え、前記推進システム３０は、前記本体１の両側にそれぞれ少なくとも一つ以上設けられるようにする。
【手続補正５】
【補正対象書類名】明細書
【補正対象項目名】００２８
【補正方法】変更
【補正の内容】
【００２８】
図１と図３と図４に示すように、前記昇・下降システム４０は、前記本体１の水面に上昇させ、または水中に下降させるものであり、前記本体１の内部に内蔵され、前記本体１に浮力を与え、収縮及び膨張が容易な浮力袋４１と、前記浮力袋４１に連通して連結され、前記浮力袋４１の内部に酸素を供給する第１の酸素タンク４２と、前記第１の酸素タンク４２に形成され、前記第１の酸素タンク４２から前記浮力袋４１に供給される酸素の流通有無を決定する供給弁４３と、前記浮力袋４１に形成され、前記浮力袋４１の内部に供給された酸素の排出有無を決定する排出弁４４と、を備えて構成される。
【手続補正６】
【補正対象書類名】明細書
【補正対象項目名】００５８
【補正方法】変更
【補正の内容】
【００５８】
１      本体
２      乗務員室
３      ボルト結合
１０    透視窓
２０    固定手段
２１    内側フレーム
２１ａ  支持突起
２２    外側フレーム
３０    推進システム
３１    駆動モータ
３２    プロペラ
３３    ケース
３４    回転軸
３５    ピニオンギア
３６    ラックギア
３７    回転シリンダ
４０    昇・下降システム
４１    浮力袋
４２    第１の酸素タンク
４３    供給弁
４４    排出弁
５０    コントロールボックス
６０    水平維持システム
６１    傾き感知センサ
７０    酸素供給システム
７１    酸素濃度測定センサ
７２    第２の酸素タンク
７３    酸素排出管
７４    開閉弁
８０    撮影システム
８１    撮影カメラ
８２    保存メモリ
９０    実時間監視システム
９１    無線送信部
９２    映像モニタ
１００    水中観光及び体験用の有人潜水艇
１１０    ＧＰＳ受信部
１２０    職別手段
１２１    浮標
１２２    ロープ
１３０    照明灯